(57)【要約】【課題】マークとスペースの割合が１：１である為、この比率より算出されるデューティで半導体レーザーを駆動しなければならず、半導体レーザーの温度が高くなり、寿命に大きく影響していた。また、多層光ディスクにおいて、入射面より遠い記録層への光量が小さく、再生時にＳＮを確保することが困難であった。【解決手段】マーク、スペースの内、透過率の高い方の面積を大きくする様に制御し、下層へ透過する光量を増やす。また、半導体レーザーの駆動デューティも小さくし、発熱量を減らして、動作温度を下げる。【選択図】図１
2005044452.tif 000002
【特許請求の範囲】
【請求項１】
変換前データ語又はデータ系列を入力してＰＷＭランレングス制限符号語又は符号語系列を出力するＰＷＭランレングス制限符号の符号変換方法において、変換された前記ＰＷＭランレングス制限符号語又は符号語系列の１のデータの比率を示す値が５０％未満に制御されていて、前記１のデータの部分がマークに対応し、０のデータの部分がスペースに対応し、前記マーク記録時に前記スペース記録時より大きいパワーのレーザー光が照射されていることを特徴とする符号変換方法。
【請求項２】
前記ＰＷＭランレングス制限符号語又は符号語系列の１のデータの比率を示す値が５０％未満の所定の値に制御されていることを特徴とする請求項１記載の符号変換方法。
【請求項３】
所定の位置に起点を定め、前記起点からの１のデータの比率を示す値を算出していることを特徴とする請求項２記載の符号変換方法。
【請求項４】
前記マークの透過率が前記スペースの透過率より小さいことを特徴とする請求項１、又は請求項２、又は請求項３記載の符号変換方法。
【請求項５】
変換前データ語又はデータ系列を入力してＰＷＭランレングス制限符号語又は符号語系列を出力するＰＷＭランレングス制限符号の符号変換方法において、変換された前記ＰＷＭランレングス制限符号語又は符号語系列の０のデータの比率を示す値が５０％未満に制御されていて、前記１のデータの部分がマークに対応し、０のデータの部分がスペースに対応し、前記スペースの透過率が前記マークの透過率より小さいことを特徴とする符号変換方法。
【請求項６】
前記ＰＷＭランレングス制限符号語又は符号語系列の０のデータの比率を示す値が５０％未満の所定の値に制御されていることを特徴とする請求項４記載の符号変換方法。
【請求項７】
所定の位置に起点を定め、前記起点からの０のデータの比率を示す値を算出していることを特徴とする請求項６記載の符号変換方法。
【請求項８】
ＰＷＭランレングス制限符号への符号変換回路において、変換前データ語又はデータ系列を入力して複数のＰＷＭランレングス制限符号語又は符号語系列の候補を出力する変換回路と、所定の位置のデータより各々の前記ＰＷＭランレングス制限符号語又は符号語系列の候補までのＰＷＭランレングス制限符号の系列の１のデータの比率を示す値を演算しその値を示す比率信号を出力する演算回路と、前記比率信号を入力して比率を示す値が最小となる前記ＰＷＭランレングス制限符号語又は符号語系列の候補を示す比較結果信号を出力する比較回路と、前記複数のＰＷＭランレングス制限符号語又は符号語系列の候補と既に変換が決定しているＰＷＭランレングス制限符号語又は符号語系列と前記比較結果信号を入力し前記複数のＰＷＭランレングス制限符号語又は符号語系列の候補の中より１つの前記ＰＷＭランレングス制限符号語又は符号語系列の候補を示す選択信号を出力する選択論理回路と、前記複数のＰＷＭランレングス制限符号語又は符号語系列の候補と前記選択信号を入力して前記複数のＰＷＭランレングス制限符号語又は符号語系列の候補の中より１つの前記ＰＷＭランレングス制限符号語又は符号語系列の候補を出力する選択回路を具備し、前記選択論理回路の選択論理の１つが前記１のデータ比率を示す値が最小であることを特徴とした符号変換回路。
【請求項９】
比率を示す値が５０％未満の所定の値となる前記ＰＷＭランレングス制限符号語又は符号語系列の候補を示す比較結果信号を出力する比較回路と、選択論理の１つが１のデータの比率を示す値が５０％未満の所定の値である選択論理回路を具備したことを特徴とする請求項８記載の符号変換回路。
【請求項１０】
ＰＷＭランレングス制限符号への符号変換回路において、変換前データ語又はデータ系列を入力して複数のＰＷＭランレングス制限符号語又は符号語系列の候補を出力する変換回路と、所定の位置のデータより各々の前記ＰＷＭランレングス制限符号語又は符号語系列の候補までのＰＷＭランレングス制限符号の系列の１のデータの比率を示す値を演算しその値を示す比率信号を出力する演算回路と、前記比率信号を入力して比率を示す値が最大となる前記ＰＷＭランレングス制限符号語又は符号語系列の候補を示す比較結果信号を出力する比較回路と、前記複数のＰＷＭランレングス制限符号語又は符号語系列の候補と既に変換が決定しているＰＷＭランレングス制限符号語又は符号語系列と前記比較結果信号を入力し前記複数のＰＷＭランレングス制限符号語又は符号語系列の候補の中より１つの前記ＰＷＭランレングス制限符号語又は符号語系列の候補を示す選択信号を出力する選択論理回路と、前記複数のＰＷＭランレングス制限符号語又は符号語系列の候補と前記選択信号を入力して前記複数のＰＷＭランレングス制限符号語又は符号語系列の候補の中より１つの前記ＰＷＭランレングス制限符号語又は符号語系列の候補を出力する選択回路を具備し、前記選択論理回路の選択論理の１つが前記１のデータ比率を示す値が最大であることを特徴とした符号変換回路。
【請求項１１】
比率を示す値が５０％以上の所定の値となる前記ＰＷＭランレングス制限符号語又は符号語系列の候補を示す比較結果信号を出力する比較回路と、選択論理の１つが１のデータの比率を示す値が５０％以上の所定の値である選択論理回路を具備したことを特徴とする請求項１０記載の符号変換回路。
【請求項１２】
請求項１記載、又は請求項２記載、又は請求項３記載、又は請求項４記載、又は請求項５、又は請求項６、又は請求項７記載のいずれかの符号変換方法で変換した符号で記録された記録媒体。
【発明の詳細な説明】
【技術分野】
【０００１】
本発明は、ＰＷＭランレングス制限記録符号への変換を行う符号変換方法、及びそのＰＷＭランレングス制限記録符号への変換を行う記録符号変換回路、及びそのＰＷＭランレングス制限記録符号で記録された記録媒体に関する。
【背景技術】
【０００２】
近年、光ディスクは、高記録密度化の一途をたどっている。これは、基本的に、対物レンズの開口数を大きくし、レーザー波長を短くすることで、達成されてきた。しかしながら、これらの方法に限界が見えてきた。
【０００３】
そこで、光ディスクの多層記録化が考えられている。例えば、ＢＤでは、２層ディスクが規格化されていて、その容量は、５０ＧＢに及ぶ。この様に、光ディスクの高記録容量化のトレンドは、多層記録化の方向に向かっている。
【０００４】
この様な大容量光ディスクには、高い信頼性を実現することが課題となっている。例えば、ＢＤで使用されている４０５ｎｍの半導体レーザーの発熱は、ＤＶＤで使用されていた６５０ｎｍ半導体レーザーの発熱より著しく大きい。このことが、半導体レーザーの安定度や寿命に大きく影響し、システムの信頼性向上の妨げになっている。
【０００５】
また、多層光ディスクでは、下の記録層に到達する光量が少なくなるという課題がある。その結果、ＳＮ比が低くなり、読みとりエラーが増加してしまう。
【０００６】
例えば、１７ＰＰ記録符号を多層光ディスクに適用した場合を考える。１７ＰＰ記録符号は、ＤＣフリー符号なので、符号語の”１”のビットと”０”のビットの数は、ほぼ同数である。”１”の部分を”マーク”とし、この部分の透過率を２０％とし、”スペース”以外の部分の透過率を８０％とする場合を考える。ディスク表面に入射する光量を１００とし、トラック間隔の半分の領域にデータが書かれてあるとすると、２層目に到達する光量は、０．２５×０．８＋０．２５×０．２＋０．５×０．８＝０．６５倍、即ち、６５となり、光量は４５％減少する。更に、３層目に到達する光量は、４２．２５となり、光量は、５７．７５％減少し、４層目に到達する光量は、約２７．４となり、光量は、約７２．６％減少する。
【特許文献１】特開平１１−３４６１５４号公報
【発明の開示】
【発明が解決しようとする課題】
【０００７】
寿命が長く、信頼性の高い半導体レーザーを提供するものである。
【課題を解決するための手段】
【０００８】
本発明の骨子は、多層光ディスクにおけるＰＷＭ（Ｐｕｌｓｅ  Ｗｉｄｔｈ  Ｍｏｄｕｒａｔｉｏｎ）ランレングス制限記録符号で、半導体レーザーの発光デューティを小さくすることで、信頼性の高い多層光ディスクを提供する点にある。
【０００９】
即ち、発光デューティを下げることで、半導体レーザーの発熱量を減らし、半導体レーザーのジャンクション温度低減が可能となる。このことは、半導体レーザーの安定度や寿命などの信頼性が向上することを示している。
【００１０】
例えば、ＰＷＭランレングス制限記録符号上で、”１”の部分を記録層上のマーク、”０”の部分を記録層上のスペースとし、マーク部分を記録するレーザーのパワーがスペースを記録するレーザーパワーより大きいとすると、ＰＷＭランレングス制限記録符号上で”１”のデータを少なくすることで、半導体レーザーの発光デューティが小さくなり、発熱量が減少し、半導体レーザーのジャンクション温度低減が可能となる。
【００１１】
また、同時に、マークの透過率がスペースの透過率より小さい場合は、マークとスペースの領域を合わせた平均の透過率が上がり、この記録層を透過する光量が増すことになる。即ち、この記録層より下層にある記録層を再生する時に、再生光量が増加して再生信号のＳＮ比が向上し、記録データ読みとりの信頼性が向上することになる。
【００１２】
また、上記例とは逆の場合、即ち、スペースの透過率がマークの透過率より小さい場合は、ＰＷＭランレングス制限記録符号上で”０”のデータを少なくすることで、マークとスペースの領域を合わせた平均の透過率が上がり、この記録層を透過する光量が増すことになり、同様の効果が得られる。
【００１３】
尚、本発明は、透過率がマークとスペースで異なる相変化型光ディスクだけでなく、屈折率がマークとスペースで異なる屈折率変化型ディスクへの適用できる。
【００１４】
本願の請求項１の発明は、ＰＷＭランレングス制限符号語の”１”の比率、即ちデューティを５０％未満になる様に制御されていて、”１”の部分が、記録層上で”マーク”に相当し、”０”の部分が、記録層上で”スペース”に相当し、”マーク”部分の記録に必要なレーザーパワーが”スペース”部分の記録に必要なレーザーパワーより大きいことを特徴とした符号変換方法である。
【００１５】
本願の請求項２の発明は、ＰＷＭランレングス制限符号系列の”１”の比率、即ちデューティが５０％未満の所定の値になる様に制御されていて、”１”の部分が、記録層上で”マーク”に相当し、”０”の部分が、記録層上で”スペース”に相当し、”マーク”部分の記録に必要なレーザーパワーが”スペース”部分の記録に必要なレーザーパワーより大きいことを特徴とした符号変換方法である。
【００１６】
本願の請求項３の発明は、ＰＷＭランレングス制限符号系列の”１”の比率、即ちデューティを所定の位置に起点を定めて算出する請求項２記載の符号変換方法である。
【００１７】
本願の請求項４の発明は、”マーク”部分の透過率が”スペース”部分の透過率より小さい場合の請求項１、又は請求項２、又は請求項３記載の符号変換方法である。
【００１８】
本願の請求項５の発明は、ＰＷＭランレングス制限符号語の”０”の比率が小さくなる様に制御されていて、”１”の部分が、記録層上で”マーク”に相当し、”０”の部分が、記録層上で”スペース”に相当し、”スペース”部分の透過率が”マーク”部分の透過率より小さいことを特徴とした符号変換方法である。
【００１９】
本願の請求項６の発明は、ＰＷＭランレングス制限符号系列の”０”の比率が５０％未満の所定の値になる様に制御されていて、”１”の部分が、記録層上で”マーク”に相当し、”０”の部分が、記録層上で”スペース”に相当し、”スペース”部分の透過率が”マーク”部分の透過率より小さいことを特徴とした符号変換方法である。
【００２０】
本願の請求項７の発明は、ＰＷＭランレングス制限符号系列の”０”の比率、即ちデューティを所定の位置に起点を定めて算出する請求項６記載の符号変換方法である。
【００２１】
本願の請求項８の発明は、請求項１の符号変換方法を実現した符号変換回路である。ＰＷＭランレングス制限符号への符号変換回路において、変換前データ語又はデータ系列を入力して複数のＰＷＭランレングス制限符号語又は符号語系列の候補を出力する変換回路と、所定の位置のデータより各々の前記ＰＷＭランレングス制限符号語又は符号語系列の候補までのＰＷＭランレングス制限符号の系列の１のデータの比率を演算しその比率を示す比率信号を出力する演算回路と、前記比率信号を入力して比率が最小となる前記ＰＷＭランレングス制限符号語又は符号語系列の候補を示す比較結果信号を出力する比較回路と、前記複数のＰＷＭランレングス制限符号語又は符号語系列の候補と既に変換が決定しているＰＷＭランレングス制限符号語又は符号語系列と前記比較結果信号を入力し前記複数のＰＷＭランレングス制限符号語又は符号語系列の候補の中より１つの前記ＰＷＭランレングス制限符号語又は符号語系列の候補を示す選択信号を出力する選択論理回路と、前記複数のＰＷＭランレングス制限符号語又は符号語系列の候補と前記選択信号を入力して前記複数のＰＷＭランレングス制限符号語又は符号語系列の候補の中より１つの前記ＰＷＭランレングス制限符号語又は符号語系列の候補を出力する選択回路を具備し、前記選択論理回路の選択論理の１つが前記１のデータ比率が最小であることを特徴とした符号変換回路である。
【００２２】
本願の請求項９の発明は、請求項２及び請求項３の符号変換方法を実現した符号変換回路である。比率が５０％未満の所定の値となる前記ＰＷＭランレングス制限符号語又は符号語系列の候補を示す比較結果信号を出力する比較回路と、選択論理の１つが１のデータの比率が５０％未満の所定の値である選択論理回路を具備したことを特徴とする請求項８記載の符号変換回路である。
【００２３】
本願の請求項１０の発明は、請求項５及び請求項６の符号変換方法を実現した符号変換回路である。ＰＷＭランレングス制限符号への符号変換回路において、変換前データ語又はデータ系列を入力して複数のＰＷＭランレングス制限符号語又は符号語系列の候補を出力する変換回路と、所定の位置のデータより各々の前記ＰＷＭランレングス制限符号語又は符号語系列の候補までのＰＷＭランレングス制限符号の系列の１のデータの比率を演算しその比率を示す比率信号を出力する演算回路と、前記比率信号を入力して比率が最大となる前記ＰＷＭランレングス制限符号語又は符号語系列の候補を示す比較結果信号を出力する比較回路と、前記複数のＰＷＭランレングス制限符号語又は符号語系列の候補と既に変換が決定しているＰＷＭランレングス制限符号語又は符号語系列と前記比較結果信号を入力し前記複数のＰＷＭランレングス制限符号語又は符号語系列の候補の中より１つの前記ＰＷＭランレングス制限符号語又は符号語系列の候補を示す選択信号を出力する選択論理回路と、前記複数のＰＷＭランレングス制限符号語又は符号語系列の候補と前記選択信号を入力して前記複数のＰＷＭランレングス制限符号語又は符号語系列の候補の中より１つの前記ＰＷＭランレングス制限符号語又は符号語系列の候補を出力する選択回路を具備し、前記選択論理回路の選択論理の１つが前記１のデータ比率が最大であることを特徴とした符号変換回である。
【００２４】
本願の請求項１１の発明は、請求項７の符号変換方法を実現した符号変換回路である。比率が５０％以上の所定の値となる前記ＰＷＭランレングス制限符号語又は符号語系列の候補を示す比較結果信号を出力する比較回路と、選択論理の１つが１のデータの比率が５０％以上の所定の値である選択論理回路を具備したことを特徴とする請求項１０記載の符号変換回路である。
【００２５】
本願の請求項１２の発明は、請求項１記載、又は請求項２記載、又は請求項３記載、又は請求項４記載、又は請求項５、又は請求項６、又は請求項７記載のいずれかの符号変換方法で変換した符号で記録された記録媒体である。
【発明の効果】
【００２６】
以上説明したように、本願の符号変換方法、符号変換回路により変換された記録符号データを記録することにより、半導体レーザーの駆動デューティが減るので、半導体レーザーの寿命が延び、信頼性が向上する。また、記録媒体は、下層に到達する光量が増え、ＳＮ比の大きい再生信号を得ることができ、信頼性の高い再生データが得られる。
【発明を実施するための最良の形態】
【００２７】
以下本発明の実施の形態について、図面を参照しながら説明する。
【００２８】
（実施の形態１）
図１は本発明の第１の実施形態における記録媒体を説明している。
【００２９】
図１（ａ）は、請求項１記載、又は請求項２記載、又は請求項３、又は請求項４記載の符号変換方法で変換されたデータを光ディスクに記録した時の記録層上のパターンの一例を示している。
【００３０】
この例は、ＰＷＭランレングス制限記録符号上”１”の部分を”マーク”とし、ＰＷＭランレングス制限記録符号上”０”の部分を”スペース”とした場合で、且つ、マークの透過率がスペースの透過率より低い場合を示している。尚、ここでは、マークは、強いレーザー光が照射されて記録された部分を示し、スペースは、弱いレーザー光が照射された部分を示すとする。
【００３１】
この記録パターンでは、マーク００２の部分が少ないことが特徴である。従来のＰＷＭランレングス制限記録符号では、”１”と”０”の比率は、１：１であった。よって、従来のＰＷＭランレングス制限記録符号よりマーク００２部分が小さく、スペース００３部分が大きいので、マーク００２部分が少ない分だけこの記録層を透過する光量は従来の記録符号で記録した場合より増えている。
【００３２】
この様に、透過率の高い部分を広くする様なＰＷＭランレングス制限記録符号で多層ディスクに記録すると、下層へ到達する光量が増える。
【００３３】
例えば、”１”の部分を”マーク”とし、この部分の透過率を２０％とし、”マーク”以外の部分の透過率を８０％とし、ディスク表面に入射する光量を１００とし、トラック間の半分の領域まで長方形状にデータマークが書かれてある場合を考える。また、１つのＰＷＭランレングス制限記録符号で記録換した場合、平均して”１”の数が４５．３％、”０”の数が５４，７％になったとする。
【００３４】
この様な記録符号系列を多層光ディスクに記録した場合、２層目に到達する光量は、６６．４となり、光量は、従来の記録符号を使用した場合より約１．４０大きくなり、約１．０２倍になる。更に、３層目に到達する光量は、約４４．１となり、光量は、従来の記録符号を使用した場合より約１．８５大きくなり、約１．０４倍になる。４層目に到達する光量は、約２９．３となり、光量は、従来の記録符号を使用した場合より約１．９１大きくなり、約１．０７倍になる。
【００３５】
また、もっと透過率の高い記録材料を使った場合、例えば、”１”の部分を”マーク”とし、この部分の透過率を２０％とし、”マーク”以外の部分の透過率を９９％とし、ディスク表面に入射する光量を１００とし、トラック間の半分の領域まで長方形状にデータマークが書かれてある場合を考えてみる。
【００３６】
２層目に到達する光量は、８１．４％となり、光量は、従来の記録符号を使用した場合より約２．１６大きくなり、約１．０３倍になる。更に、３層目に到達する光量は、約６６．３となり、光量は、従来の記録符号を使用した場合より約３．４８大きくなり、約１．０５５倍になる。４層目に到達する光量は、約５４．０となり、光量は、従来の記録符号を使用した場合より約４．１９大きくなり、約１．０８４倍になる。１０層目に到達する光量は、約１５．７となり、光量は、従来の記録符号を使用した場合より約３．３８大きくなり、１．２７倍となる。
【００３７】
図１（ａ）の下側の図は、本記録符号で記録した時のレーザーの駆動電流を説明している。図が示す様に、この記録符号で記録することにより、レーザーが発光しているデューティを小さくできるので、平均記録パワーを小さくすることもでき、レーザーの消費電力を小さく抑え、発熱量を小さくすることもできる。これは、レーザーの寿命を長くする効果がある。また、逆に、平均記録パワーはそのままで、最大ピークパワーを大きくすることもできる。
【００３８】
図１（ｂ）は、請求項５記載、又は請求項６、又は請求項７記載の符号変換方法で変換されたデータを光ディスクに記録した時の記録層上のパターンの一例を示している。この場合は、マークの透過率がスペースの透過率より大きい場合である。よって、同様に、下の記録層への光量を増やす為には、マーク部分の面積を増やさなければいけないので、ＰＷＭランレングス制限記録符号上の”１”のデータを増やす様に制御されている。
【００３９】
（実施の形態２）
図２は本発明の第２の実施形態における符号変換回路を説明しているブロック図である。この符号変換回路のブロック図で示された構成は、以降、第３の実施形態で示される本符号変換方法をＤＶＤで使用されている８／１６記録符号の変換テーブルを使った符号変換回路で実現した場合、第４の実施形態で示される本符号変換方法をＣＤで使用されているＥＦＭ記録符号の変換テーブルを使った符号変換回路で実現した場合、第５の実施形態で示されるＢＤで使用されている１７ＰＰ記録符号の変換テーブルを使った符号変換回路で実現した場合と共通の構成である。
【００４０】
入力された変換前データ語、又はデータ系列は、変換回路２０１に入力される。変換回路２０１では、入力された変換前データ語、又はデータ系列を複数のＰＷＭランレングス制限符号語又は符号語系列の候補を出力する。図２の例では、４通りの候補が出力されている。
【００４１】
出力された複数のＰＷＭランレングス制限符号語又は符号語系列の候補は、各々演算回路２０２に入力される。また、演算回路２０２は、既に変換が決定しているＰＷＭランレングス制限符号語又は符号語系列、即ち、１つ以前のＰＷＭランレングス制限符号語又は符号語系列の演算結果も入力している。これらの入力より、演算回路２０２は、所定の時点、例えば、セクターの先頭よりの各々のＰＷＭランレングス制限符号語又は符号語系列の候補までのＰＷＭランレングス制限符号の系列上の”１”のデータの比率を演算し、その比率を示す比率信号を出力する。
【００４２】
出力された各々のＰＷＭランレングス制限符号語又は符号語系列の候補に対応した比率信号は、最小値比較回路２０３に入力される。また、最小値比較回路２０３は、選択信号を入力して、その入力の示すＰＷＭランレングス制限符号語又は符号語系列の候補の比率信号を演算回路２０２に出力する。また、最小値比較回路２０３は、入力された比率信号の中で、最も小さい比率に対応するＰＷＭランレングス制限符号語又は符号語系列の候補を示す比較結果信号を出力する。
【００４３】
出力された比較結果信号は、選択論理回路２０４に入力される。選択論理回路２０４には、この他、複数のＰＷＭランレングス制限符号語又は符号語系列の候補と既に変換が決定しているＰＷＭランレングス制限符号語又は符号語系列が入力されている。ＰＷＭランレングス制限符号語又は符号語系列間のランレングス接続性と所定の時点、例えば、セクターの先頭よりの各々のＰＷＭランレングス制限符号語又は符号語系列の候補までのＰＷＭランレングス制限符号の系列上の”１”のデータの比率より１つのＰＷＭランレングス制限符号語又は符号語系列の候補を示す選択信号が、選択回路２０５と最小値比較回路２０３に出力される。
【００４４】
選択回路２０５では、複数のＰＷＭランレングス制限符号語又は符号語系列の候補と選択信号が入力され、選択信号の示すＰＷＭランレングス制限符号語又は符号語系列の候補が出力される。
【００４５】
従来のＰＷＭランレングス制限符号変換回路と異なる部分は、最小値比較回路２０３でＰＷＭランレングス制限符号の系列上の”１”のデータの比率が最小のＰＷＭランレングス制限符号語又は符号語系列が出力され、選択論理回路２０４、選択回路２０５で選択される点である。即ち、従来のＰＷＭランレングス制限符号では、ＰＷＭランレングス制限符号の系列上の”０”のデータの比率と”１”のデータの比率が最も等しいＰＷＭランレングス制限符号又は符号語系列が、ＰＷＭランレングス制限符号語又は符号語系列の候補より最小値比較回路２０３にて比較され、選択論理回路２０４、選択回路２０５にて選択され、出力される。
【００４６】
尚、ＰＷＭランレングス制限符号の系列上の”１”のデータの比率が最大となるＰＷＭランレングス制限符号への符号変換回路は、図２の最小値比較回路２０３が、”１”のデータの比率が最大となるＰＷＭランレングス制限符号語又は符号語系列を示す比較結果信号を出力し、”１”のデータの比率が最大となるＰＷＭランレングス制限符号語又は符号語系列が、選択論理回路２０４、選択回路２０５にて選択され、出力されることで実現される。
【００４７】
また、ＰＷＭランレングス制限符号の系列上の”１”のデータの比率が５０％未満の所定の値となるＰＷＭランレングス制限符号への符号変換回路は、図２の最小値比較回路２０３が、”１”のデータの比率が５０％未満の所定の値となるＰＷＭランレングス制限符号語又は符号語系列を示す比較結果信号を出力し、”１”のデータの比率が５０％未満の所定の値となるＰＷＭランレングス制限符号語又は符号語系列が、選択論理回路２０４、選択回路２０５にて選択され、出力されることで実現される。
【００４８】
また、ＰＷＭランレングス制限符号の系列上の”０”のデータの比率が５０％未満の所定の値となるＰＷＭランレングス制限符号への符号変換回路は、図２の最小値比較回路２０３が、”０”のデータの比率が５０％未満の所定の値となるＰＷＭランレングス制限符号語又は符号語系列を示す比較結果信号を出力し、”０”のデータの比率が５０％未満の所定の値となるＰＷＭランレングス制限符号語又は符号語系列が、選択論理回路、選択回路にて選択され、出力されることで実現される。
【００４９】
（実施の形態３）
図３は本発明の第３の実施形態における符号変換回路を説明しているブロック図である。この符号変換回路は、ＤＶＤで使用されている８／１６記録符号のテーブルを使い、ＰＷＭランレングス制限記録符号上の”１”のデータの比率が小さい記録符号データ系列を出力する。
【００５０】
以下に、回路動作を簡単に説明する。
【００５１】
メインＲＯＭ３０２は、変換前データと前のワードのネクストステートを入力し、メインテーブルのデータ（ＰＰＭ、Ｐｉｔ  Ｐｏｓｉｔｉｏｎ  Ｍｏｄｕｌａｔｉｏｎ、変換データ、ネクストステート）と、ステート１と、ステート４のテーブルのデータ（ＰＰＭ変換データ、ネクストステート）を出力する。サブＲＯＭ３０３は、同様に変換前データと前のワードのネクストステートを入力し、サブテーブルのデータ（ＰＰＭ変換データ、ネクストステート）を出力する。
【００５２】
ＲＯＭ３０２の３組の出力データとＲＯＭ３０３の出力は、クロスバースイッチ３０４により２組のデータに選択される。コントローラー３１０は、変換前データ、前の変換後データのワードのネクストステートと、前の変換後データのワードとステート１、ステート４のテーブルの出力データを入力し、ステート１、ステート４のテーブルの出力データとの接続可否を判断し、更にネクストステートより２組のデータを選択する。
【００５３】
選択された２組のデータは、それぞれ積算回路３０５、３０６に入力される。積算回路３０５、３０６は、それぞれ変換後のＰＷＭランレングス制限符号語の”１”のデータの比率を演算し、リセット信号が入力されてからの積算値を演算して比較回路３０７に出力する。
【００５４】
比較回路３０７は、入力された積算値を比較し、値の小さい方をフリップフロップ出力セレクター３０８にて選択する様に信号を出力する。
【００５５】
選択されたデータは、ＰＷＭ変換回路３０９にてＰＰＭよりＰＷＭに変換を行っている。
【００５６】
図３のブロックと図２のブロックの対応を示すと、変換回路２０１は、ＲＯＭ３０２とＲＯＭ３０３に対応し、演算回路２０２は、積算回路３０５、３０６に対応し、最小値比較回路２０３と選択論理回路２０４は、比較回路３０７に対応し、選択回路２０５は、フリップフロップ出力セレクター３０８に対応する。
【００５７】
尚、図３、図４の符号変換回路では、ＰＷＭランレングス制限符号語の”１”のデータの比率を小さくする様に制御していたが、一定の値に制御しても良い。
【００５８】
（実施の形態４）
図４は、本発明の第４の実施形態における符号変換回路を説明しているブロック図である。図５は、図４の符号変換回路の動作を示している。本実施形態は、ＥＦＭ（Ｅｉｇｈｔ  ｔｏ  Ｆｏｕｒｔｅｅｎ  Ｍｏｄｕｌａｔｉｏｎ）記録符号の変換テーブルで、ＰＷＭランレングス制限記録符号上の”１”のデータの比率が小さい記録符号データ系列を出力する符号変換回路を示している。
【００５９】
図５の上の段の変換前データは、図４で変換部４０１に入力されるデータである。変換部４０１では、所定の変換テーブルに従ってＰＰＭのテーブル変換データに変換され、エッジ制御データ決定・挿入部４０２へ出力される。図５の上より２段目のテーブル変換データは、図４で変換部４０１よりエッジ制御データ決定・挿入部４０２へ入力されるデータである。
【００６０】
エッジ制御データ決定・挿入部４０２では、図５の下より２段目の制御ビット挿入データの示す様に、入力されたテーブル変換データに３ビットの制御データを挿入している。挿入する制御データを決定する為に、８通りの３ビットデータを挿入したデータを作り、所定の時点、例えばセクターの先頭より、その挿入した８通りのデータまでのＰＷＭランレングス制限記録符号上の”１”のデータの比率を演算し、その各々の比率を比較して最小となることと、既に変換が決定されたＰＷＭランレングス制限記録符号語、即ち、前の変換前データに対応したＰＷＭランレングス制限記録符号語とのランレングス制限接続性も条件として、１つの制御ビット挿入データを選択し、出力している。図５の下より２段目の制御ビット挿入データは、図４のエッジ制御データ決定・挿入部４０２にて選択され、出力された制御ビット挿入データを示している。
【００６１】
ＰＷＭ変換回路４０３では、入力されたＰＰＭの制御ビット挿入データをＰＷＭ変換後データに変換して、図７の下の段に示す１７ビットのＰＷＭ変換後データを出力する。
【００６２】
図４のブロックと図２のブロックの対応を示すと、変換回路２０１は、変換部４０１とエッジ制御データ決定・挿入部４０２の制御ビットデータを挿入して８通りの候補を出力する部分、演算回路２０２は、エッジ制御データ決定・挿入部４０２のＰＷＭランレングス制限記録符号上の”１”のデータの比率を演算する部分、最小値比較回路２０３と選択論理回路２０４は、エッジ制御データ決定・挿入部４０２の８通りのデータの比率を比較して最小となり既に変換が決定されたＰＷＭランレングス制限記録符号語、即ち、前の変換前データに対応したＰＷＭランレングス制限記録符号語とのランレングス制限接続性も条件として、１つの制御ビット挿入データを選択し、出力している部分に対応する。
【００６３】
尚、図４、図５の符号変換回路では、ＰＷＭランレングス制限符号語の”１”のデータの比率を小さくする様に制御していたが、一定の値に制御しても良い。
【００６４】
（実施の形態５）
図６は、本発明の第５の実施形態における符号変換回路を説明しているブロック図である。図７は、図６の符号変換回路の動作を示している。尚、本実施形態は、１７ＰＰ記録符号の変換テーブルで、ＰＷＭランレングス制限記録符号上の”１”のデータの比率が小さい記録符号データ系列を出力する符号変換回路を示している。
【００６５】
図７の上の段の変換前データは、図６でエッジ制御データ決定・挿入部６０１に入力されるデータである。エッジ制御データ決定・挿入部６０１では、図４の中の段の制御ビット付加データが示す様に、所定の間隔で制御ビットを変換前データに挿入してゆく（Ａは整数）。エッジ制御データ決定・挿入部６０１では、所定の時点より、制御ビットが”０”の場合と”１”の場合の２通りの次のＡビットまでのＰＷＭランレングス制限記録符号上の”１”のデータの比率を演算している。その比率を比較し、小さくなる制御ビットを加えた方の制御ビット挿入データを選択して出力している。図７の中の段の制御ビット挿入データが選択された制御ビット挿入データを示している。
【００６６】
制御ビット挿入データは、変換部６０２に出力され、変換部６０２では、所定の変換テーブルに従ってＰＰＭの変換後データに変換され、ＰＷＭ変換回路６０３へ出力される。
【００６７】
ＰＷＭ変換回路６０３では、入力されたＰＰＭの変換後データをＰＷＭ変換後データに変換して、図７の下の段に示すＰＷＭ変換後データを出力する。
【００６８】
尚、図６、図７の符号変換回路では、ＰＷＭランレングス制限符号語の”１”のデータの比率を小さくする様に制御していたが、一定の値に制御しても良い。
【００６９】
また、第２実施形態より第５の実施形態の符号変換回路の出力を記録媒体に記録したデータの再生、例えば、第３実施形態で記録したデータを再生する場合を考える。記録データは、平均して”１”の数が約４５．３％、”０”の数が約５４，７％になることがわかっている。このことより、再生信号にその分のオフセット電圧を加える。また、このオフセット電圧により完全にキャンセルされる訳ではないので、オフセット電圧を加えた再生信号のピーク電圧とボトム電圧を検出して中間電位を発生させ、同時に、オフセット電圧を加えた再生信号にジッターフィードバック方式のスライサーを適用し、そのスライス値と、中間電位との平均電圧で２値化スライスを行うことで再生を行う。また、別の再生方法として、アシンメトリー追従型のＰＲＭＬでも再生ができる。
【００７０】
尚、本発明の符号変換方法で記録された記録媒体は、少ないレーザーパワーで記録されるので、記録媒体自体の寿命も向上されることが期待できる。
【図面の簡単な説明】
【００７１】
【図１】本発明の実施の形態１における記録媒体を説明した図
【図２】本発明の実施の形態２における記録符号変換回路を説明しているブロック図
【図３】本発明の実施の形態３における記録符号変換回路を説明しているブロック図
【図４】本発明の実施の形態４における記録符号変換回路を説明しているブロック図
【図５】本発明の実施の形態４における記録符号変換回路の動作を説明している図
【図６】本発明の実施の形態５における記録符号変換回路を説明しているブロック図
【図７】本発明の実施の形態５における記録符号変換回路の動作を説明している図
【符号の説明】
【００７２】
００１    ビームスポット
００２    マーク（透過率小）
００３    スペース（透過率大）
００４    トラック中心
００５    レーザー駆動信号
００６    ピークパワーレベル
００７    ボトムパワーレベル
００８    マーク（透過率大）
００９    スペース（透過率小）
２０１    変換回路
２０２    演算回路
２０３    最小値比較回路
２０４    選択論理回路
２０５    選択回路
３０１    フリップフロップ
３０２    メインＲＯＭ
３０３    サブＲＯＭ
３０４    クロスバースイッチ
３０５    積算回路
３０６    積算回路
３０７    比較回路
３０８    フリップフロップ出力セレクター
３０９    ＰＷＭ変換回路
３１０    コントローラー
４０１    変換部
４０２    エッジ制御データ決定・挿入部
４０３    ＰＷＭ変換回路
４０４    タイミング管理部
６０１    エッジ制御データ決定・挿入部
６０２    変換部
６０３    ＰＷＭ変換回路
６０４    タイミング管理部
【図１】
2005044452.tif 000003
【図２】
2005044452.tif 000004
【図３】
2005044452.tif 000005
【図４】
2005044452.tif 000006
【図５】
2005044452.tif 000007
【図６】
2005044452.tif 000008
【図７】
2005044452.tif 000009